(57)【要約】      （修正有）【課題】ＰＤＡなどのコントローラモジュールとスマートカードとの通信が可能となるトランシーバアセンブリを提供する。【解決手段】コントローラモジュール（１０２）は、トランシーバアセンブリ（１０４）の受け台部（１０８）に取り外し可能に収容されて、携帯用スマートカード通信装置（１００）を形成する。トランシーバアセンブリ（１０４）は、トランシーバ及びコントローラモジュール（１０２）をトランシーバに電気的に接続するためのコネクタ（１１０）を含む。コントローラモジュール（１０２）は、コネクタ（１１０）を通して信号及びデータを送信及び受信することによりそれ自身とスマートカード（１０６）との間の通信リンクを確立する。情報はスマートカード（１０６）から読み取られコントローラモジュール（１０２）に転送される。情報はトランシーバアセンブリ（１０４）を通って移動され、スマートカード（１０６）に記憶される。【選択図】図１
2006085699.tif 000002
【特許請求の範囲】
【請求項１】
コントローラモジュールを解放可能に収容するように適合されたハウジングと、
スマートカードとコントローラモジュールとの間の通信リンクを確立するために適合されたハウジング内のトランシーバと、からなるスマートカードトランシーバアセンブリ。
【請求項２】
トランシーバがコントローラモジュールからの制御信号を受信する請求項１に記載のスマートカードトランシーバアセンブリ。
【請求項３】
トランシーバが通信リンクを確立することによって制御信号に応答する請求項２に記載のスマートカードトランシーバアセンブリ。
【請求項４】
さらに、ハウジングに搭載され、トランシーバに電気的に接続されるコネクタからなり、コネクタは、ハウジングがコントローラモジュールを収容するとき、トランシーバとコントローラモジュールとの間で信号を伝達するように適合されている請求項１に記載のスマートカードトランシーバアセンブリ。
【請求項５】
ハウジングは、ハウジングがコントローラモジュールを収容するとき、コントローラモジュールをスマートカードトランシーバアセンブリに固定するように適合された受け台部からなる、請求項１に記載のスマートカードトランシーバアセンブリ。
【請求項６】
ハウジングがさらにトランシーバを取り囲むように適合されたトランシーバ領域からなる、請求項５に記載のスマートカードトランシーバアセンブリ。
【請求項７】
トランシーバがアンテナと、受信機と、送信機とからなる請求項１に記載のスマートカードトランシーバアセンブリ。
【請求項８】
トランシーバが無線周波数信号を用いてスマートカードと通信するように適合された請求項６に記載のスマートカードトランシーバアセンブリ。
【請求項９】
コントローラモジュールがパーソナル・デジタル・アシスタントである請求項１に記載のスマートカードトランシーバアセンブリ。
【請求項１０】
パーソナル・デジタル・アシスタントを収容するために適合された受け台部を有するハウジングと、
ハウジングに搭載され、パーソナル・デジタル・アシスタントにインターフェイスで接続するために適合されたコネクタと、
コネクタを通してパーソナル・データ・アシスタントに電気的に接続されるハウジング内のトランシーバとからなり、前記トランシーバは、パーソナル・データ・アシスタントと近接カードとの間の通信リンクを確立することによってパーソナル・デジタル・アシスタントから送られる制御信号に応答するように適合される、近接カードトランシーバアセンブリ。
【請求項１１】
ハウジングは、パーソナル・デジタル・アシスタントをハウジングの受け台部に固定するためのラッチからなる、請求項１０に記載の近接カードトランシーバアセンブリ。
【請求項１２】
パーソナル・デジタル・アシスタントを収容するために適合された受け台部を有するハウジングと、
ハウジングに搭載され、パーソナル・デジタル・アシスタントにインターフェイスで接続するために適合されたコネクタと、
コネクタを通してパーソナル・データ・アシスタントに電気的に接続されるハウジング内のトランシーバと、
プロトコルを用いて通信するように適合された近接カードとからなり、トランシーバは、プロトコルを用いてパーソナル・データ・アシスタントと近接カードとの間の通信リンクを確立することによりパーソナル・デジタル・アシスタントから送られる制御信号に応答するように適合される携帯用近接カードシステム。
【発明の詳細な説明】
【技術分野】
【０００１】
発明の分野
本発明は一般にスマートカードシステムに関し、特にスマートカードへ情報を書き込み及び／またはスマートカードから情報を読み取るためのポータブルスマートカード通信装置に関する。
【０００２】
背景
「スマートカード」という用語は一般に情報を記憶するための埋め込まれた集積回路を有する種々のタイプの装置を指すのに用いられる。本開示内での「スマートカード」の参照は、接触及び非接触カード（近接カードとしても言及される）の両方を含むものである。スマートカード通信装置はカードに情報を書き込み、そしてカードから情報を読み取るのに用いられる。あるスマートカード通信装置は、スマートカードから読み取る能力か、スマートカードへ書き込む能力のいずれか一方のみしか持たないかもしれない。従って、スマートカード通信装置は、スマートカード読み取り機、スマートカード書き込み機、またはその両方であってもよい。
【０００３】
一般に、スマートカード通信装置は、スマートカードとスマートカード通信装置との間の処理を統制するホストコンピュータに接続されている。しかしながら、あるシステムにおいては、ホストコンピュータはスマートカード通信装置の一部であるかもしれない。スマートカードシステムは、システムの個々の形状や要求によっていくつのホストコンピュータや通信装置をも含み得る。
【０００４】
スマートカードは、少なくとも情報を記憶するための記憶装置と、スマートカード通信装置と通信するためのトランシーバを含む、小型の、通常はクレジットカード形状の装置である。スマートカード通信装置は、記憶された情報にアクセスするためスマートカード上のトランシーバを通して通信する。スマートカード通信装置は、単に情報を読み取るだけか、記憶装置へ情報をロードするか、記憶装置に存在するデータを修正するかもしれない。例えば、もしスマートカードの所有者が買い物をするために金融情報を含むスマートカードを使用するならば、スマートカード通信装置は所有者の身元や資金の利用可能性を含む情報を読み取ることができる。スマートカード通信装置はまた、もしそれが書き込み性能を有していれば、利用可能な資金から購買金額を差し引くこともできる。通信装置はさらに、通信装置の個別情報に加えて取引時間や場所も含む取引データをスマートカードに記憶できる。
【０００５】
現存するスマートカードは接触か非接触スマートカードのいずれかとして分類され得る。非接触スマートカード（近接カードとしても参照される）は、データを交換するのにスマートカード通信装置と物理的に接触する必要はない。近接カードは一般に、近接カードと近接カード通信装置との間でデータを移動させるのに変調無線周波数（ＲＦ）場とインピーダンス変調技術を用いる。
【０００６】
スマートカードには種々の用途があり、個人と施設との間でのデータまたは情報の交換に関連するいかなる取引においても利用できる。スマートカードは、例えば医療記録、金融情報、車両メンテナンス情報、ペットの情報、及び慣例上紙やプラスチックにプリントされるか、磁気ストライプや光学バーコードを有するカードに記憶されていたその他の様々な情報を含む情報を記憶するのに用い得る。スマートカード技術は、特に銀行業務システムや他の金融取引システムにおいて有益である。例えばスマートカード技術は、乗客が毎回、集団輸送システムを利用するか出口から退出するたびに、運賃に等しい額だけスマートカードに記憶された値が減じられる集団輸送システムにおいて効果的に用いられている。上述したように、取引の時間や場所などの他の情報を記憶しまたは変更することができる。
【０００７】
スマートカードに伴う広範な種類の取引が、固定されたシステムに適当な通信及び電力供給源を提供する場所で、固定されたスマートカード通信装置を用いて行なわれている。しかしながら、多くの取引は携帯用のスマートカード通信装置を必要とするかもしれない。例えば、集団輸送システムにおいて、携帯用スマートカード通信装置は、集団輸送車両に着席しているまたは乗車プラットホーム上の乗客の切符を切るのに有用である。特に出発しようとしている電車あるいはバスに乗り込もうとしているときに、切符を購入するか、スマートカードを販売オフィスで更新しなければならないことにより乗客はひどく不便を感じさせられるかもしれない。
【０００８】
我々の社会がますます移動性を呈してくるにつれ、携帯用の製品に対する需要も増加している。スマートカードの使用者は、彼等のスマートカードの残高値を移動中に確認したくなることがよくある。例えば使用者は目的地へ移動中に、スマートカードに帰りの旅行に十分なだけの資金があるかどうかを決定したいかもしれない。さらにスマートカードの使用者は移動環境中に情報のアップデートをしたいと望むかもしれない。
【０００９】
スマートカードをＩＤカードとして利用する適用に携帯用通信装置の使用が要求されるかもしれない。例えば、もしスマートカードが運転免許証として用いられていれば、警察官が車道で運転者の車両の隣に立って、スマートカードに記憶された情報にアクセスする必要があるかもしれない。これらの適用における運転免許証は、運転者の記述などの運転免許証に含まれる標準の情報に加えて、被保険情報、車両登録情報、及び過去の違反などのデータも含み得る。
【００１０】
現存する携帯用スマートカード通信装置はいくつかの欠点を有する。一つの現存する携帯用の設計では、ラップトップコンピュータがスマートカードトランシーバに接続されている。携帯用スマートカード通信装置の異なる部分がケーブルで接続され、スマートカード通信装置を扱いにくく、使用が困難なものにしている。
【００１１】
その他の従来の携帯用スマートカード通信装置は、完全に統合された単一のユニットとして構成されている。これらの従来の設計は、使用者がディスプレイのタイプや寸法、またはキーボードのスタイルなど、装置の特定の特徴を選択するに当たって選択の柔軟性を持たない点で制限がある。装置の処理能力はスマートカード使用者の特定の目的には不十分かもしれず、または、使用者は必要でない処理能力のために支払うことを強要されるかもしれない。
【００１２】
スマートカードの使用に加えて、パーソナルコンピュータの出力の増加と寸法の縮小が、社会の移動環境への傾向を加速させてきている。人気を得ている一つのタイプのパーソナルコンピュータは、パーソナル・デジタル・アシスタント（ＰＤＡ）として呼ばれる。ＰＤＡは広範な様々の適用に用いられている。例えばＰＤＡは、予定表、住所、及び電話番号などの情報を記憶するためのパーソナル・オーガナイザーとして用いられてきている。それに加え、多くのＰＤＡはワードプロセッサや計算機として、または他のコンピュータ機能を提供するために用いられ得る。いくつかのＰＤＡは通信性能を提供し、インターネットにアクセスしたり、ファクシミリ送信を確立したり、またはページングあるいは電子メールサービスを提供するのに用いられ得る。
【００１３】
ＰＤＡの設計は、装置の携帯性を促進するため伝統的なラップトップコンピュータに対していくつかの改良を組み入れている。ＰＤＡは一般に、ＰＤＡに情報を入力し、使用者に情報を表示する方法に向けられた革新を組み入れている。例えば、多くのＰＤＡは、スタイラスをスクリーンに触れさせることによって使用者がすばやくそして効率良く情報を入力するのを可能にするタッチ高感度スクリーンを有する。ＰＤＡはＷｉｎｄｏｗｓ（登録商標）またはＷｉｎｄｏｗｓ（登録商標）ＣＥインターフェイスなどの使用者にやさしいグラフィックユーザーインターフェイスを使用するかもしれない。それに加え、使用者はスタイラスを用いてスクリーン上に直接メッセージを書くかもしれない。作成された画像は電子メールまたはファクシミリで通信されるか、単にメモリに記憶され得る。手書き認識の進歩に伴い、ＰＤＡは書体を認識してそれをテキスト形式へと変換できる。さらにＰＤＡに用いられるディスプレイは、最小限の電力消費で鮮明な画像を供給する一方、様々な角度からのまぶしい光を最小限にするように設計される。これらのタイプのスクリーンは、使用者がキーボードを使うのが困難な場所にいるとき、またはすばやくファイルのメニューを通して進ませたいときに非常に有用である。
【００１４】
様々なタイプの入力／出力装置が外部の媒体上の現存するデータに関する情報をＰＤＡに移すのに用いられてきた。例えば、光学スキャナ、ＰＣＭＣＩＡカードのようなメモリカード、赤外線トランシーバ、ケーブル及びいくつかの遠距離通信技術がＰＤＡと他の情報源との間で情報を移動させるのに用いられてきた。これらの様々な技術は使用者が移動環境においてデータをＰＤＡに容易に移動させることを可能にする。
【００１５】
多くのＰＤＡはグローバル・ポジショニング・サテライト（ＧＰＳ）システムにリンクされ、使用者に地理的位置を提供するのを可能にしている。さらにＰＤＡは、もしＰＤＡが電子マップのような道路情報を含んでいるならば、旅行用の道案内のような情報を提供できる。
【００１６】
スマートカードやＰＤＡ技術は進歩しているが、従来の設計は両方の技術の利点を単一の統合されたパッケージに提供していない。携帯用スマートカード通信装置とＰＤＡを使用することを望んでいる使用者は、二つの別々の装置を購入しなければならない。さらに従来の装置は、ＰＤＡを用いてスマートカード情報を移動させたり、見たり、または変更する方法を提供していない。
【００１７】
従って、使用者の便利さを増し、携帯用スマートカード通信装置の製造コストを減少させると同時に、使用者に特定の特徴や機能を選択する柔軟性を提供する携帯用スマートカード通信装置に対する必要性が存在する。
【００１８】
発明の概要
本発明の具体例において、トランシーバアセンブリの受け台部はコントローラモジュールを収容して携帯用スマートカード読み取り機を形成する。トランシーバアセンブリのハウジングに位置するトランシーバは、ハウジングに搭載された電気コネクタを通してコントロールモジュールに接続される。コントローラモジュールは、コネクタを通して信号を送信及び受信してトランシーバの作動を制御することにより、トランシーバを通じてスマートカードと通信リンクを確立する。コントローラモジュールはトランシーバアセンブリの受け台部から容易に取り外しできる。
【００１９】
発明の一つの利点は、使用者がディスプレイのタイプ、プロセッサのスピードと出力、メモリの大きさまたはその他の一般にトランシーバに向けられたものでない特徴または機能を選択する柔軟性を有することである。トランシーバアセンブリは、特定のスマートカードシステム内で作動するように選択される。ひとたび適切なトランシーバが決定されると、使用者はトランシーバアセンブリに収容可能ないくつかの異なるタイプのコントローラモジュールの一つを選択することができる。
【００２０】
発明の別の利点は、スマートカードの用途に加えて他の用途も有するコントローラモジュールを用いることにより、製造業者が規模の節約による効率的利用ができるので、携帯用スマートカード通信装置のための製造コストが減少することである。例えば、もしコントローラモジュールが標準のＰＤＡであれば、製造業者は多数のＰＤＡの販売を利用してコントローラモジュールのコストを減少させることができる。製造業者はディスプレイスクリーン、メモリ装置及びプロセッサなどの標準ＰＤＡ構成部品の設計及び製造を避けることにより、コストを減少させることができる。
【００２１】
発明の別の利点は、使用者が携帯用スマートカード通信装置及びＰＤＡとして機能する単一の装置を購入することができることである。さらに、もし使用者がＰＤＡを所有していれば、使用者はそのＰＤＡとインターフェイスで接続するトランシーバを購入することができ、携帯用スマートカード通信装置を入手するためにＰＤＡに見出される多くの高価な構成部品を購入することを強要されない。
【００２２】
発明のさらに別の利点は、もしコントローラモジュールがＰＤＡであれば、使用者はスマートカード通信装置とともにＰＤＡの特徴を利用することができることである。ＰＤＡとスマートカードとの間で情報を容易に移動させることができる。使用者はスマートカードの値をＰＤＡを通して確認することができる。もしＰＤＡがセルラー・デジタル・パケット・データ（ＣＤＰＤ）リンクなどの遠距離通信接続性能を有していれば、使用者はスマートカードに値を追加することができるかもしれない。使用者はスマートカードの情報を見たり、スマートカードへデータを入力するのにタッチスクリーンのような使用者にやさしい入力及び出力方法を使用してもよい。
【００２３】
発明のさらに別の利点は、スマートカードがＰＤＡにより利用可能な様々なタイプの予めプログラムされた情報を含むように生産し得ることである。例えば、スマートカードを特定の地理的地域に関する道路情報を含むようにプログラムしてもよい。使用者はその地域へ旅行することを見越してスマートカードを購入し、情報を携帯用スマートカード通信装置へ移動させることができる。コントローラモジュール（ＰＤＡ）はスマートカードの情報をＧＰＳ情報とともに用いて、その地理的地域の特定の目的地への旅行の道案内を使用者に提供することができる。
【００２４】
発明はまた、ホストコンピュータを変更するかソフトウエアをロードする必要なしに、スマートカードから取り出された情報及びデータをホストコンピュータに移動させることを可能にする。従って、特殊な装置またはソフトウエアを必要とすることなくスマートカードからＰＣなどのホストコンピュータに情報及びデータを容易に移動させることができる。
【００２５】
好適な具体例の説明
本発明は、同様の参照番号は同様の部品を参照する添付の図面と共に理解される、以下の発明の好適な具体例の詳細な説明からよりよく理解されるであろう。
【００２６】
好適な具体例によるスマートカード通信装置が図１に示される。スマートカードシステム１００は、コントローラモジュール１０２、トランシーバ１０４、及びスマートカード１０６を含む。コントローラモジュール１０２とトランシーバアセンブリ１０４は、携帯用スマートカード通信装置１０１を形成する。トランシーバアセンブリ１０４の受け台部１０８はコントローラモジュール１０２を収容するように適合される。トランシーバアセンブリ１０４は、受け台部１０８に収容されたときコネクタ１１０を通してコントローラモジュール１０２に電気的に連結されるトランシーバを含む。
【００２７】
好適な具体例において、コントローラモジュール１０２は、例えば３コム・コーポレイション（３Ｃｏｍ  Ｃｏｒｐｏｒａｔｉｏｎ）（カリフォルニア州、サンタクララ）により製造されるＰａｌｍＰｉｌｏｔ（商標）のようなパーソナル・デジタル・アシスタント（ＰＤＡ）である。好ましくは、コントローラモジュールは使用者がデータを入力したり見たりすることを可能にするタッチ高感度ディスプレイ１１２といくつかのボタン１１４を有する。
【００２８】
既知の技術を用いて、トランシーバアセンブリ１０４は、コントローラモジュール１０２がトランシーバアセンブリ１０４と正しく整列したとき確実に場所内へ「パチンと収まる」のを可能にするよう構成される。コントローラモジュールがトランシーバアセンブリ１０４内に確実に搭載されるとき、コネクタ１１０はコントローラモジュールのもう一方のコネクタ（図示せず）と接触する。コネクタは、３コムから入手可能なパイロット・ドッキング・コネクタであることが好ましい。コントローラモジュール１０２とトランシーバアセンブリ１０４との間の結合は、ＲＳ−２３２プロトコル標準と一致したプロトコルを使用することが好ましい。好ましい具体例において、プロトコルは、１９９２年１０月１９日に出願され、ＷＯ９３／０９５１６として１９９３年５月１３日に公開された「非接触自動料金収集システム」と表題をつけられた国際出願第ＰＣＴ／ＵＳ９２／０８８９２号の中の記載に従う。しかしながら、コントローラモジュール１０２とトランシーバアセンブリ１０４との間に電気的結合を供給するいかなる適当な方法を用いてもよい。
【００２９】
好適な具体例によるシステムの詳細な記載は、本発明の譲受人に譲渡されている上記に参照されたＰＣＴ公開に開示されており、ここに参照として取り込まれている。しかしながら、好ましい近接カードシステム１００の簡単な概要を以下に提供する。
【００３０】
本発明の好適な具体例によるスマートカードシステム１００のブロック図が図２に示される。好ましい具体例において、スマートカードシステム１００は非接触スマートカードシステム（一般にコンタクトレスあるいは近接カードシステムとも参照される）である。しかしながら、スマートカードに関係するいくつかの既知の通信技術のいずれも使用することができる。
【００３１】
依然図２を参照して、トランシーバアセンブリ１０４は、コネクタ１１０、電源２０１、及びトランシーバ２０２を含む。電源２０１は、電池と、既知の技術を用いてトランシーバ２０２の構成部分に作動のために適切な電圧と電流を供給するための電圧調整回路を含む。
【００３２】
トランシーバ２０２は、アンテナ２０４、無線周波数（ＲＦ）回路２０６、及びデジタル回路２０８を含む。好適な具体例において、携帯用スマートカード通信装置１０１はスマートカード読み取り機と書き込み機である。従って、トランシーバ２０２はスマートカード１０６へ信号を送信することも、スマートカード１０６から信号を受信することもできる。上記参照したＰＣＴ公開に詳細に記載されているように、アンテナ２０４は、携帯用スマートカード通信装置１０１の大体近接に置かれたスマートカード１０６からの応答を喚起するように設計された継続的なＲＦ場を送る。いったんスマートカード１０６が範囲内に入ると、これはアンテナ２０４を通って放送されるトランシーバ２０２のＲＦ送波により動力を供給される。スマートカード１０６はＲＦ場を変調することによってメッセージをトランシーバ２０２に送信する。ＲＦ場の変化は、アンテナ２０４が経験するインピーダンスの変化としてトランシーバ２０２に検出される。
【００３３】
デジタル回路２０８は既知の技術を用いてコントローラモジュール１０２とトランシーバ２０２との間の通信を促進するために設計され、マイクロプロセッサを含むことが好ましい。しかしながら、他の具体例においてはデジタル回路２０８はデジタル論理からなり、マイクロプロセッサは含まない。
【００３４】
上述したように、コントローラモジュール１０２は３Ｃｏｍから商業的に入手
可能なＰａｌｍＰｉｌｏｔ（商標）のようなパーソナル・デジタル・アシスタント（ＰＤＡ）であることが好ましい。コントローラモジュール１０２は、ディスプレイ１１２及び入力用ボタン１１４だけでなく、プロセッサ２１０及び水晶結晶板２１２をも含む。プロセッサ２１０は、その振動数が水晶結晶板２１２によって決定される内部クロック（図示せず）を有する。プロセッサに属するソフトウエアは、携帯用スマートカード通信装置１０１とスマートカード１０６との間の通信プロトコルの管理を含むコントローラモジュール１０２とトランシーバ２０２との間の様々なオペレーションの制御を援助する。
【００３５】
スマートカード１０６から携帯用スマートカード通信装置１０１に送信されるメッセージ及びデータは、アンテナ２０４を通ってＲＦ回路２０６により受信される。ＲＦ回路２０６は既知の技術を用いてデータを復調する。結果として生じる復調信号はデジタル回路２０８に転送され、これが個々のコントローラモジュール１０２に必要なプロトコルに従って信号をコントローラモジュール１０２に送信する。
【００３６】
信号は、コネクタ１１０を通してコントローラモジュール１０２のプロセッサ２１０で受信される。プロセッサ２１０は、信号のタイプ及びその内容によって、そしてソフトウエアに従って信号に応答する。もしプロセッサ２１０の応答が情報を使用者に転送することを要求すれば、プロセッサ２１０は適切な情報を既知の技術を用いてディスプレイ１１２を通して表示する。
【００３７】
データ及びコマンド信号はタッチスクリーンディスプレイ１１２または入力ボタン１１４により入力される。プロセッサ２１０は、ソフトウエアに従ってプロセッサ２１０に記憶されたデータばかりでなく使用者のコマンド及びデータに対しても応答する。プロセッサ２１０は、コネクタ１１０を通じて信号をデジタル回路２０８に送信することによりトランシーバ２０２を制御する。スマートカード１０６に伝送されるデータもまたコネクタ１１０を通じてデジタル回路２０８に送られる。デジタル回路２０８は伝送のため適切な信号をＲＦ回路２０６に転送する。ＲＦ回路２０６はデータをスマートカード１０６に伝送するため既知の技術を用いてデータのＲＦ場を変調させる。
【００３８】
コントローラモジュール１０２は他のトランシーバアセンブリ１０４と共に使用し得る。これはもしコントローラモジュール１０２またはトランシーバアセンブリ１０４のいずれかが使用不可能な場合に特に有益である。さらに、標準インターフェイスが用いられれば、様々なコントローラモジュール１０２が同一のトランシーバアセンブリ１０４と共に用い得る。コントローラモジュール１０２は個々の適用に従って選択し得る。例えば、高出力のプロセッサ２１０を有するコントローラモジュール１０２が高い処理力を必要とする適用に用いられる一方、より小さく軽いコントローラモジュール１０２がプロセッサ２１０ほど要求の高くない適用に対して代用できる。大きなタッチスクリーンディスプレイ１１２を有するコントローラモジュール１０２を使用者との多くの相互作用を必要とする取引において用いることができ、他の適用ではこれがより小さいディスプレイ１１２を有するコントローラモジュール１０２に取って代わられてもよい。
【００３９】
これらの教示を考慮して、当業者には本発明の他の具体例や変更が容易に見出せるであろう。そのような人達は、上述した様々な具体例の中の対称性を認識し、同様の結果を生ずるのにそれらの要素が他のやり方で用意し得ることを理解するであろう。例えば、本発明の範囲からそれることなく他のタイプのＰＤＡを用いることができる。従って、本発明は以下のクレームによってのみ限定されるものであって、それらは上記の明細書及び添付の図面と関連して見たとき、全てのそのような他の具体例や変更を含むものである。
【図面の簡単な説明】
【００４０】
【図１】発明の好ましい具体例によるスマートカード通信装置の等尺の表示である。
【図２】発明の好ましい具体例による携帯用スマートカードシステムのブロック図である。
【図１】
2006085699.tif 000003
【図２】
2006085699.tif 000004
【外国語明細書】
2006085699.tif 000005
2006085699.tif 000006
2006085699.tif 000007
2006085699.tif 000008
2006085699.tif 000009
2006085699.tif 000010
2006085699.tif 000011
2006085699.tif 000012
2006085699.tif 000013
2006085699.tif 000014
2006085699.tif 000015
2006085699.tif 000016
2006085699.tif 000017
2006085699.tif 000018
2006085699.tif 000019